(57)【特許請求の範囲】
【請求項１】
使用地域に応じて少なくとも１つの受動回路の回路定数を異ならせる必要のある通信装置であって、
前記各受動回路毎に少なくとも１つ設けられて、その受動回路として動作可能な受動素子と、
前記各受動回路毎に、前記受動素子のうち少なくとも１つを選択的に前記受動回路として動作させるスイッチ手段と、
使用地域に応じて予め決められた使用地域指定信号を発生する使用地域指定信号発生手段と、
前記使用地域指定信号に基づいて前記スイッチ手段をオン・オフ制御することにより、前記各受動回路の回路定数を前記使用地域指定信号により指定された使用地域に応じた回路定数にする制御手段と、
伝送路を介して入力されるダイアルトーン信号を検出するダイアルトーン信号検出手段と、
前記ダイアルトーン信号検出手段により検出されたダイアルトーン信号に基づいて使用地域を判別する使用地域判別手段と、
前記使用地域判別手段により判別された使用地域と前記使用地域指定信号により指定された使用地域とが一致するか否かを判断する使用地域一致判断手段と、
前記ダイアルトーン信号検出手段により検出されたダイアルトーン信号と同じダイアルトーン信号を使用している使用地域が複数存在する否かを判断する同一ダイアルトーン信号使用地域判断手段と、
前記使用地域一致判断手段による判断結果が一致しているとき、一致している旨を表示するとともに、前記同一ダイアルトーン信号使用地域判断手段により同じダイアルトーン信号を使用している使用地域が複数存在すると判断されたときは、前記一致している旨の表示と同じダイアルトーン信号を使用している使用地域が複数存在する旨を表示する表示手段と、を備えたことを特徴とする通信装置。
【請求項２】
前記使用地域指定信号は、コンピュータから入力されることを特徴とする請求項１に記載の通信装置。
【請求項３】
前記使用地域指定信号発生手段は、操作者の操作に基づいて前記使用地域指定信号を発生するものであることを特徴とする請求項１に記載の通信装置。
【請求項４】
通信装置はファクシミリ装置であることを特徴とする請求項１に記載の通信装置。
【発明の詳細な説明】
【０００１】
【発明の属する技術分野】
本発明は、ファクシミリ装置や電話装置などの通信装置に関するものである。
【０００２】
【従来の技術】
ファクシミリ装置や電話装置などの通信装置においては、使用地域、たとえば使用国毎に通信回線への出力信号周波数や電圧などが異なるため、特にＮＣＵ回路における所定の受動回路の回路定数を微妙に異ならせる必要がある。
【０００３】
このため従来の通信装置では、仕向け国毎に異なる回路定数の受動素子をＮＣＵ基板に実装し、そのＮＣＵ基板を製品に組み込んで出荷していたが、これではＮＣＵ基板の種類が仕向け国の数だけ必要であり、管理が複雑であった。
【０００４】
この問題を解決するために、たとえば図２に示すように、複数の端子３１ａ，３１ｂ、３２ａ，３２ｂ、３３ａ，３３ｂ、３４ａ，３４ｂ、３５ａ，３５ｂを設け、たとえば工場からの出荷前に、仕向け国に応じてこれらを選択的にジャンパー線などで短絡することにより、所定の受動回路の回路定数を使用地域に適合させることが考えられる。
【０００５】
すなわち、端子３１ａと端子３１ｂとを短絡させれば、キャパシタＣ３１とレジスタＲ３１との並列回路が演算増幅器ＯＰ３１の反転入力端と出力端との間に並列に接続され、端子３２ａと端子３２ｂとを短絡させれば、キャパシタＣ３２とレジスタＲ３２との並列回路が演算増幅器ＯＰ３１の反転入力端と出力端との間に並列に接続され、端子３３ａと端子３３ｂとを短絡させれば、キャパシタＣ３３とレジスタＲ３３との並列回路が演算増幅器ＯＰ３１の反転入力端と出力端との間に並列に接続され、端子３４ａと端子３４ｂとを短絡させれば、キャパシタＣ３４とレジスタＲ３４との並列回路が演算増幅器ＯＰ３１の反転入力端と出力端との間に並列に接続される。また、端子３５ａと端子３５ｂとを短絡させれば、レジスタＲ３６にレジスタＲ３５が並列に接続される。したがって、キャパシタＣ３１〜Ｃ３４およびレジスタＲ３１〜Ｒ３５の回路定数を全ての仕向け国に対応できるように設定しておくことにより、短絡する端子３１ａ，３１ｂ、３２ａ，３２ｂ、３３ａ，３３ｂ、３４ａ，３４ｂ、３５ａ，３５ｂを選択すれば、仕向け国に応じた回路定数が得られる。
【０００６】
【発明が解決しようとする課題】
しかしながら、上記の通信装置では、工場からの出荷前に端子３１ａ，３１ｂ、３２ａ，３２ｂ、３３ａ，３３ｂ、３４ａ，３４ｂ、３５ａ，３５ｂを選択的にジャンパー線などにより短絡させる作業が必要であり、半田付けなどの作業工程が増加する。回路定数を使用地域に応じて変更すべき受動回路の数は相当多く、なかでもファクシミリ装置の場合はさらに多いので、このような半田付け作業は生産性を低下させる要因となる。また、半田付け不良や接続ミスなども起こり得る。しかも、たとえば転居などで使用地域が変わった場合、ジャンパー線の配線変えが必要であり、その作業に手数を要する。
【０００７】
本発明は、上記の点に鑑みて提案されたものであって、所定の受動回路の回路定数を使用地域に応じて容易に設定および変更できる通信装置を提供することを目的としている。
【０００８】
【課題を解決するための手段】
上記目的を達成するため、請求項１に記載した発明の通信装置は、使用地域に応じて少なくとも１つの受動回路の回路定数を異ならせる必要のある通信装置であって、各受動回路毎に少なくとも１つ設けられて、その受動回路として動作可能な受動素子と、各受動回路毎に、受動素子のうち少なくとも１つを選択的に受動回路として動作させるスイッチ手段と、使用地域に応じて予め決められた使用地域指定信号を発生する使用地域指定信号発生手段と、使用地域指定信号に基づいてスイッチ手段をオン・オフ制御することにより、各の受動回路の回路定数を使用地域指定信号により指定された使用地域に応じた回路定数にする制御手段と、伝送路を介して入力されるダイアルトーン信号を検出するダイアルトーン信号検出手段と、ダイアルトーン信号検出手段により検出されたダイアルトーン信号に基づいて使用地域を判別する使用地域判別手段と、使用地域判別手段により判別された使用地域と使用地域指定信号により指定された使用地域とが一致するか否かを判断する使用地域一致判断手段と、ダイアルトーン信号検出手段により検出されたダイアルトーン信号と同じダイアルトーン信号を使用している使用地域が複数存在する否かを判断する同一ダイアルトーン信号使用地域判断手段と、使用地域一致判断手段による判断が一致しているとき、一致している旨を表示するとともに、同一ダイアルトーン信号使用地域判断手段により同じダイアルトーン信号を使用している使用地域が複数存在すると判断されたときは、一致している旨の表示と同じダイアルトーン信号を使用している使用地域が複数存在する旨を表示する表示手段と、を備えている。
【０００９】
この通信装置によれば、制御手段が、使用地域に応じて予め決められた使用地域指定信号に基づいてスイッチ手段をオン・オフ制御することにより、オンしたスイッチ手段が、受動回路として動作可能な受動素子のうち対応する受動素子を受動回路として動作させる。すなわち、スイッチ手段がオンすることにより、それに対応する受動素子がスイッチ手段を介して所定の接続箇所に接続され、受動回路として動作する。したがって、各受動素子の回路定数を予め適切に設定しておくことにより、受動回路の回路定数を切り換えることができ、所定の受動回路の回路定数を使用地域指定信号により指定された使用地域に応じた回路定数にできる。この結果、所定の受動回路の回路定数を使用地域に応じて容易に設定および変更できる。また、通信装置を電話回線などの伝送路に接続して電源を投入すると、ダイアルトーン信号検出手段が、伝送路を介して入力されるダイアルトーン信号を検出し、使用地域判別手段が、ダイアルトーン信号検出手段により検出されたダイアルトーン信号に基づいて使用地域を判別し、使用地域一致判断手段が、使用地域判別手段により判別された使用地域と使用地域指定信号により指定された使用地域とが一致するか否かを判断する。さらに、同一ダイアルトーン信号使用地域判断手段が、ダイアルトーン信号検出手段により検出されたダイアルトーン信号と同じダイアルトーン信号を使用している使用地域が複数存在する否かを判断する。そして、使用地域一致判断手段が、使用地域判別手段により判別された使用地域と使用地域指定信号により指定された使用地域とが一致していると判断した場合、その旨を表示手段に表示する。また、同一ダイアルトーン信号使用地域判断手段が、同じダイアルトーン信号を使用している地域が複数あると判断した場合、一致している旨の表示と、同じダイアルトーン信号を使用している使用地域が複数存在する旨の表示とを表示手段に表示する。これにより設定された回路定数により指定される使用地域が正しかったか否かを再確認させることができる。
【００１０】
受動素子は、たとえばレジスタやキャパシタやインダクタなどである。スイッチ手段は、たとえばアナログスイッチなどにより構成される。制御手段は、通信装置全体を制御するＣＰＵを用いてソフトウェアにより実現される。回路定数を切り換えるべき受動回路は、１つであってもよいが、電話装置やファクシミリ装置の場合は多数存在する。スイッチ手段は、回路定数を切り換えるべき受動回路毎に１個をオンさせるように構成してもよいし、受動素子の組み合わせにより適切な回路定数を得られれば、使用地域によって受動回路毎に２個以上を同時にオンさせる場合があってもよい。
【００１１】
また、請求項２に記載した発明の通信装置は、請求項１記載の通信装置であって、使用地域指定信号が、コンピュータから入力されるものである。
【００１２】
すなわち、通信装置をコンピュータに接続し、コンピュータの操作により使用地域を指定すれば、コンピュータからそれに応じた使用地域指定信号が通信装置に出力され、通信装置のＣＰＵにより実現される制御手段が、コンピュータからの使用地域指定信号に応じてスイッチ手段をオン・オフ制御する。したがって、出荷前にコンピュータの操作を行うだけで、使用地域に応じて回路定数を異ならせるべき全ての受動回路の回路定数が、使用地域に応じて自動的に設定される。
【００１３】
更に、請求項３に記載した発明の通信装置は、請求項１記載の通信装置であって、前記使用地域指定信号発生は、操作者の操作に基づいて使用地域指定信号を発生するものである。
【００１４】
すなわち、操作者が通信装置の操作キーに所定の操作を施すと、使用地域指定信号発生手段が使用地域指定信号を発生し、制御手段に出力する。この使用地域指定信号発生手段は、制御手段と同様に、通信装置全体を制御するＣＰＵを用いてソフトウェアにより実現される。したがって、たとえば転居などにより所定の受動回路の回路定数を変更する必要が生じた場合、転居先におけるサービスマンなどが所定の操作を行うことにより、自動的に使用地域に応じた回路定数に変更される。
【００１５】
また、請求項４に記載した発明の通信装置は、請求項１記載の通信装置をファクシミリ装置としたものである。
【００１６】
【００１７】
使用地域判別手段、使用地域一致判断手段および同一ダイアルトーン信号使用地域判断手段は、たとえばファクシミリ装置全体を制御するＣＰＵを用いてソフトウェアにより実現される。
【００１８】
【発明の実施の形態】
以下、本発明の好ましい実施の形態を、図面を参照しつつ具体的に説明する。
【００１９】
図１は、本発明に係る通信装置の一例としてのファクシミリ装置の要部の回路図であって、ＮＣＵ回路の出力部付近を中心に示している。
【００２０】
このファクシミリ装置は、ＣＰＵ１、操作部２、表示部３、ダイアルトーン信号検出回路４、ＲＯＭ５、演算増幅器ＯＰ１、レジスタＲ１〜Ｒ７、キャパシタＣ１〜Ｃ５、およびスイッチＳＷ１〜ＳＷ５を備えており、ＣＰＵ１には図外のインターフェイスなどを介してコンピュータの一例としてのパーソナルコンピュータ６のＣＰＵが接続される。操作部２は、キースイッチ群などを備えており、表示部３は、液晶表示装置などを備えている。スイッチＳＷ１〜ＳＷ５は、アナログスイッチからなり、ＣＰＵ１によりオン・オフ制御される。もちろん、ファクシミリ装置には、図１に示した以外にも使用国に応じて回路定数を変更すべき受動回路は多数存在する。また、ファクシミリ装置にはこれら以外の多数の回路や機構が存在するが、本発明の要旨とは直接関係ないので説明を省略する。
【００２１】
演算増幅器ＯＰ１の反転入力端には、スイッチＳＷ１〜ＳＷ５およびレジスタＲ６の一端が接続されており、演算増幅器ＯＰ１の出力端には、キャパシタＣ１〜Ｃ４およびレジスタＲ１〜Ｒ４，Ｒ７の一端が接続されている。キャパシタＣ１およびレジスタＲ１の他端はスイッチＳＷ１の他端に接続され、キャパシタＣ２およびレジスタＲ２の他端はスイッチＳＷ２の他端に接続されている。キャパシタＣ３およびレジスタＲ３の他端はスイッチＳＷ３の他端に接続され、キャパシタＣ４およびレジスタＲ４の他端はスイッチＳＷ４の他端に接続されている。スイッチＳＷ５の他端はレジスタＲ５の一端に接続され、レジスタＲ５の他端はレジスタＲ６の他端およびキャパシタＣ５の一端に接続されている。レジスタＲ１〜Ｒ４およびキャパシタＣ１〜Ｃ４は、スイッチＳＷ１〜ＳＷ４により選択的に演算増幅器ＯＰ１の反転入力端と出力端との間に並列に接続される１つの受動回路を構成するものであり、レジスタＲ５およびレジスタＲ６は、演算増幅器ＯＰ１の反転入力端とキャパシタＣ５との間に直列にレジスタＲ６のみが接続された状態とスイッチＳＷ５を介してレジスタＲ５とレジスタＲ６との並列回路が接続される状態とに切り換わる１つの受動回路を構成するものである。
【００２２】
スイッチＳＷ１〜ＳＷ５は、キャパシタＣ１とレジスタＲ１との並列回路、キャパシタＣ２とレジスタＲ２との並列回路、キャパシタＣ３とレジスタＲ３との並列回路、およびキャパシタＣ４とレジスタＲ４との並列回路のうち少なくとも１つの並列回路を選択的に演算増幅器ＯＰ１の反転入力端と出力端との間に並列に接続し、また、レジスタＲ５のレジスタＲ６との並列接続を接断するスイッチ手段を構成している。ＣＰＵ１は、使用地域に応じて予め決められた使用地域指定信号に基づいてスイッチＳＷ１〜ＳＷ５をオン・オフ制御することにより、演算増幅器ＯＰ１の反転入力端と出力端との間に並列に接続される受動回路、および演算増幅器ＯＰ１の反転入力端とキャパシタＣ５との間に直列に接続される受動回路の回路定数を、使用地域指定信号により指定された使用地域に応じた回路定数にする制御手段を構成している。またＣＰＵ１は、操作者による操作部２の操作に基づいて使用地域指定信号を発生する使用地域指定信号発生手段を構成している。さらにＣＰＵ１は、ダイアルトーン信号検出回路４により検出されたダイアルトーン信号に基づいて使用地域を判別する使用地域判別手段を構成している。またＣＰＵ１は、使用地域判別手段により判別された使用地域と使用地域指定信号により指定された使用地域とが一致するか否かを判断する使用地域一致判断手段を構成している。またダイアルトーン信号検出回路４は、電話回線７を介して入力されるダイアルトーン信号を検出するダイアルトーン信号検出手段を構成している。ＲＯＭ５には、使用国毎に、その国名、コード番号、オンすべきスイッチＳＷの番号、ダイアルトーン信号の種類、同じダイアルトーン信号を使用している他の国の国名およびそれらのコード番号が、使用国のコード番号により検索できるように格納されている。なお、本実施形態では、国毎に受動回路の回路定数を変更する必要があるものとし、使用地域指定信号として国のコード番号を用いている。
【００２３】
次に、このように構成されたファクシミリ装置の動作について説明する。工場からの出荷前の設定に際しては、ファクシミリ装置をパーソナルコンピュータ６に接続し、操作員がパーソナルコンピュータ６を操作して、ファクシミリ装置の仕向け国のコード番号などを入力する。これによりパーソナルコンピュータ６から仕向け国のコード番号がファクシミリ装置に出力される。これによりＣＰＵ１が、入力されたコード番号に基づいてＲＯＭ５を検索し、オンすべきスイッチＳＷの番号を読み出して、スイッチＳＷ１〜ＳＷ５を個別にオン・オフ制御する。たとえば、仕向け国が米国であり、キャパシタＣ１とレジスタＲ１との並列回路を演算増幅器ＯＰ１の反転入力端と出力端との間に並列に接続し、レジスタＲ５をレジスタＲ６と並列に接続したときに米国の電話回線７に適合した所定の回路定数が得られるものとすると、ＣＰＵ１が、スイッチＳＷ１とスイッチＳＷ５とをオンにし、他のスイッチＳＷ２〜ＳＷ４をオフにする。これによりキャパシタＣ１とレジスタＲ１との並列回路がスイッチＳＷ１を介して演算増幅器ＯＰ１の反転入力端と出力端との間に並列に接続され、レジスタＲ５がスイッチＳＷ５を介してレジスタＲ６と並列に接続されて、米国での使用に適合した所定の回路定数が得られる。
【００２４】
工場からの出荷後、使用者の転居などにより、たとえば使用国が米国から英国に変わったとすると、英国におけるサービスマンが、ファクシミリ装置の電源を投入し、ファクシミリ装置の操作部２を操作して、英国のコード番号などを入力する。これにより操作部２からＣＰＵ１に英国のコード番号などの信号が出力され、ＣＰＵ１が、そのコード番号に基づいてＲＯＭ５を検索し、オンすべきスイッチＳＷの番号を読み出して、たとえばスイッチＳＷ２をオンにし、他のスイッチＳＷ１，ＳＷ３〜ＳＷ５をオフにする。これにより、キャパシタＣ２とレジスタＲ２との並列回路がスイッチＳＷ２を介して演算増幅器ＯＰ１の反転入力端と出力端との間に並列に接続されて、英国での使用に適合した所定の回路定数が得られる。
【００２５】
さらに、サービスマンがファクシミリ装置を電話回線７に接続し、電話回線７を介してダイアルトーン信号が入力されると、ダイアルトーン信号検出回路４が、そのダイアルトーン信号を検出し、それに応じたディジタル信号をＣＰＵ１に出力する。これによりＣＰＵ１が、ＲＯＭ５を検索して、ダイアルトーン信号検出回路４により検出されたダイアルトーン信号を使用している国のコード番号を読み出し、操作部２に設定されたコード番号と一致しているか否かを判断する。一致していれば、ＣＰＵ１が、表示部３に一致している旨の表示を行わせる。サービスマンの操作ミスなどによりもしも一致していなければ、ＣＰＵ１が、表示部３に一致していない旨の表示を行わせる。このとき、現在の使用国の国名およびコード番号と、設定操作により指定された国の国名およびコード番号も表示部３に表示させて、サービスマンによる再操作にミスのないようにする。
【００２６】
なお、ダイアルトーン信号検出回路４により検出されたダイアルトーン信号と同じダイアルトーン信号を使用している国が複数ある場合、ダイアルトーン信号に基づく比較結果が一致していても、必ずしも設定が正しかったとは判断できないので、一致している旨の表示と同時に、同じダイアルトーン信号を使用している国が複数ある旨と、それらの国名およびコード番号と、操作部２に設定された国名およびコード番号とを表示部３に表示させ、サービスマンに設定が正しかったか否かを再確認させる。このとき、同じダイアルトーン信号を使用している国が他にもある場合、それらの国名およびコード番号などは、各使用国毎にＲＯＭ５にデータとして格納されているので、全ての使用国のダイアルトーン信号の種類をＲＯＭ５から読み出さなくても処理可能である。
【００２７】
このように、ＣＰＵ１により実現される制御手段が、使用国に応じて予め決められたコード番号に基づいてスイッチＳＷをオン・オフ制御することにより、オンしたスイッチＳＷが、対応するレジスタＲやキャパシタＣなどを所定の接続箇所に接続するので、各レジスタＲやキャパシタＣなどの回路定数を予め適切に設定しておくことにより、所定の受動回路の回路定数を使用国に応じて容易に設定および変更できる。
【００２８】
また、ファクシミリ装置をパーソナルコンピュータ６に接続し、パーソナルコンピュータ６の操作により使用国のコード番号を指定すれば、パーソナルコンピュータ６からそれに応じたディジタル信号がファクシミリ装置に出力され、ファクシミリ装置のＣＰＵ１により実現される制御手段が、パーソナルコンピュータ６からのコード番号に応じてスイッチＳＷをオン・オフ制御するので、出荷前にパーソナルコンピュータ６の操作を行うだけで、使用国に応じて回路定数を異ならせるべき全てのレジスタＲやキャパシタＣなどの受動回路の回路定数が、仕向け国に応じて自動的に設定される。
【００２９】
また、操作者がファクシミリ装置の操作部２に所定の操作を施すと、ＣＰＵ１により実現される使用地域指定信号発生手段が使用地域指定信号すなわち国のコード番号のデータを発生し、ＣＰＵ１により実現される制御手段に出力するので、たとえば転居などにより所定の受動回路の回路定数を変更する必要が生じた場合、転居先におけるサービスマンなどが操作部２に所定の操作を行うことにより、自動的に使用国に適合した回路定数に変更される。
【００３０】
また、ファクシミリ装置を電話回線７に接続して電源を投入すると、ダイアルトーン信号検出回路４が、電話回線７を介して入力されるダイアルトーン信号を検出し、ＣＰＵ１により構成される使用地域判別手段が、ダイアルトーン信号検出回路４により検出されたダイアルトーン信号に基づいて使用国を判別し、ＣＰＵ１により構成される使用地域一致判断手段が、使用地域判別手段により判別された使用国とコード番号により指定された使用国とが一致するか否かを判断する。そして、使用地域判別手段により判別された使用国とコード番号により指定された使用国とが一致しないと判断した場合、その旨を表示部３のディスプレイ画面に表示するので、サービスマンによる操作ミスが自動的に検出され、操作ミスのまま放置されることがない。
【００３１】
また、同じダイアルトーン信号を使用している国が複数ある場合、同じダイアルトーン信号を使用している国が複数ある旨と、それらの国名およびコード番号と、操作部２に設定された国名およびコード番号とを表示部３に表示させるので、サービスマンに設定が正しかったか否かを再確認させることができる。
【００３２】
なお上記実施形態では、通信装置がファクシミリ装置である例について説明したが、本発明はファクシミリ装置に限らず、使用地域に応じて所定の受動回路の回路定数を異ならせる必要のある通信装置に広く適用可能である。
【００３３】
また上記実施形態では、国毎に所定の受動回路の回路定数を異ならせる必要があり、使用地域指定信号が国のコード番号を表すデータであるものとしたが、同一の国内でも地域によって所定の受動回路の回路定数を異ならせる必要がある場合は、それらの地域毎に異なるコード番号を付与すればよい。
【００３４】
更に、上記実施形態では、伝送路が電話回線７である例について説明したが、伝送路は有線に限らず、無線であってもよい。
【００３５】
また上記実施形態では、１つの受動回路に対応するたとえばスイッチＳＷ１〜ＳＷ４のうちのいずれか１つのみをオンさせるように構成したが、これらを複数個同時にオンさせるように構成してもよい。たとえば、スイッチＳＷ１，ＳＷ２を同時にオンさせれば、キャパシタＣ１，Ｃ２およびレジスタＲ１，Ｒ２の並列回路により１つの受動回路が構成されることになるが、この並列回路のインピーダンスを使用する地域があるのであれば、その地域のために別途独立にキャパシタＣとレジスタＲとの並列回路を設けることなく、キャパシタＣ１，Ｃ２およびレジスタＲ１，Ｒ２の並列回路を用いればよい。ただし、１つの受動回路にレジスタＲとキャパシタＣとの双方を設ける場合、複数の使用国に対する合成インピーダンスが別の使用国に対するインピーダンスと都合良く一致するケースはそれほど多くないと考えられるので、複数のスイッチＳＷを同時にオンさせることにより受動素子およびスイッチの数を減らす方法は、１つの受動回路にレジスタＲあるいはキャパシタＣのいずれか一方のみが設けられる場合に主に利用される。
【００３６】
【発明の効果】
以上説明したように請求項１に記載した発明の通信装置によれば、制御手段が、使用地域に応じて予め決められた使用地域指定信号に基づいてスイッチ手段をオン・オフ制御することにより、オンしたスイッチ手段が、所定の受動回路として動作可能な複数の受動素子のうち対応する受動素子を受動回路として動作させるので、各受動素子の回路定数を予め適切に設定しておくことにより、受動回路の回路定数を切り換えることができ、所定の受動回路の回路定数を使用地域指定信号により指定された使用地域に応じた回路定数にできることから、所定の受動回路の回路定数を使用地域に応じて容易に設定および変更できる。また、通信装置を電話回線などの伝送路に接続して電源を投入すると、ダイアルトーン信号検出手段が、伝送路を介して入力されるダイアルトーン信号を検出し、使用地域判別手段が、ダイアルトーン信号検出手段により検出されたダイアルトーン信号に基づいて使用地域を判別し、使用地域一致判断手段が、使用地域判別手段により判別された使用地域と使用地域指定信号により指定された使用地域とが一致するか否かを判断し、さらに、同一ダイアルトーン信号使用地域判断手段が、ダイアルトーン信号検出手段により検出されたダイアルトーン信号と同じダイアルトーン信号を使用している使用地域が複数存在する否かを判断し、使用地域判別手段により判別された使用地域と使用地域指定信号により指定された使用地域とが一致している旨を表示手段に表示するとともに、同じダイアルトーン信号を使用している地域が複数ある場合は、その旨を表示手段に表示するので、設定された回路定数により指定される使用地域が正しかったか否かを再確認させることができ、サービスマンなどの操作ミスが見逃されることがない。
【００３７】
また、請求項２に記載した発明の通信装置によれば、通信装置をコンピュータに接続し、コンピュータの操作により使用地域を指定するだけの簡単な操作により、コンピュータからそれに応じた使用地域指定信号が通信装置に出力され、通信装置のＣＰＵにより実現される制御手段が、コンピュータからの使用地域指定信号に応じてスイッチ手段をオン・オフ制御することから、出荷前にコンピュータの簡単な操作を行うだけで、使用地域に応じて回路定数を異ならせるべき全ての受動回路の回路定数が、使用地域に応じて自動的に設定される。
【００３８】
更に、請求項３に記載した発明の通信装置によれば、操作者が通信装置の操作キーに所定の操作を施すと、使用地域指定信号発生手段が使用地域指定信号を発生し、制御手段に出力するので、たとえば転居などにより所定の受動回路の回路定数を変更する必要が生じた場合、転居先におけるサービスマンなどが所定の簡単な操作を行うことにより、自動的に使用地域に応じた回路定数に変更される。
【００３９】
また、請求項４に記載した発明の通信装置によれば、請求項１に記載の通信装置と同一の効果を奏することができる。
【図面の簡単な説明】
【図１】  本発明に係る通信装置の要部の回路図である。
【図２】  従来考えられる通信装置の要部の回路図である。
【符号の説明】
１  ＣＰＵ
２  操作部
３  表示部
４  ダイアルトーン信号検出回路
５  ＲＯＭ
６  パーソナルコンピュータ
７  電話回線
ＳＷ１〜ＳＷ５  スイッチ
Ｒ１〜Ｒ５  レジスタ
Ｃ１〜Ｃ４  キャパシタ
【図１】
0003702510.tif 000002
【図２】
0003702510.tif 000003